(57)【特許請求の範囲】
【請求項１】
略平面板上に略円形状にＬＥＤを配置した複数の群集団からなり、前記群集団の前記略円形状の略中心又は内側から外側に向かって順次点灯を行なうと共に、前記複数の群集団のいずれかを選択した組み合わせや繰り返し表示回数が設定された自動プログラムのスイッチを選択し、前記複数の群集団を、選択された自動プログラムに設定された順序にて順次点灯消灯を行なうと共に、前記選択された群集団の点灯消灯を繰り返して行なって、前記群集団の組み合わせを多種多様に表示できる様にした事を特徴とする花火の動画の表示装置。
【発明の詳細な説明】
【技術分野】
【０００１】
本発明は花火の動画をＬＥＤにより表示する、ポスタ、美術的鑑賞装置、花火の打上げシュミレート装置、看板等に用いられる花火の動画のデジタル表示器に関する。
【背景技術】
【０００２】
打ち上げ花火は火薬を空気中にて爆発させ、その時の火薬の燃焼により発する光と爆発音にて光の輝きや光の瞬き光の動きによって、光の色彩の美しさ、迫力を感じさせるものである。
人類は花火を見る事に感動や快感等を得る様である。これは太古の時代に人類が火を得る時に火山の噴火等を見て、その噴火時の光と音の勇壮さと迫力に驚くと共にその火の瞬くきらめき、および火が空気中に散る動きの有様を見て、美しさを感じた事が脳のＤＮＡに刻み込まれておるのだろうか。
【０００３】
我々は実際に夜空に打ち上げられる花火を見る他、テレビや表示器により花火を見ることができる。
しかしながら実際の花火は、テレビまたは表示器で見る花火とは、かなり異なる。
テレビやモニタに映し出される花火の画像は、テレビカメラ、ムービ等により実際に打ち上げた花火を録画した信号によって、テレビやモニタの画面上に再現したものです。テレビやモニタはメデアとしての表示であり、花火の鑑賞用としての美しさ等を表示できる装置では無いので、人間が実際の花火を見た時と大きく異なり、花火の美しさ、豪快さは現われていない。
テレビやモニタまたはＸＹマトリックス表示器によって、実際の花火を鑑賞した時と同じ様にもっと美しく、花火を見る事ができないものだろうか。
【０００４】
ＬＥＤによる花火を表現表示した先出願の特許文献等を調査した結果、ＬＥＤ等による花火の表示の技術は、特許公報においてはありません。
【０００５】
またインターネットでの調査においては、ＬＥＤによる花火の表現はあるものの、興味本位の作成の範囲であり製品化されていない。
【発明の概要】
【発明が解決しようとする課題】
【０００６】
花火を表示するにはテレビやモニタの画面に映し出す方法や、マトリックス状に配置されたＬＥＤ表示板等により花火を表示させていた。
テレビカメラやムービにより実際の花火を撮影して、テレビやモニタの画面にその録画を表示すると、花火の部分の発光だけでなく夜空の部分の黒く発光されていてモニタの画面全体からの発光を伴うものであった。
この様に光る黒い空と光る花火が画面上に同時に表示されるので、画面の輝度を上げても黒く光る夜空の部分の輝度も高くなり、花火の部分の輝度が低く感じられ、実際の花火と異なり花火の部分のコントラストが低いと言う課題があった。
【０００７】
テレビやモニタの画面に映し出す表示は、画面全体から発光する事となり、実際に夜間に見る花火に比べて光の浮き上がりが少なくコントラストの点で大きく劣ると言う問題点がある。
【０００８】
この様にテレビやモニタは、実際の花火をカメラ等で撮影した信号によるメデアとしての二次画面を表示する為に作られておるので、花火の美しさ、迫力を表現した状態で映し出す事ができないのは、テレビやモニタは、メデア用であり、花火の鑑賞用ではないのでやむを得ないと思う。
【０００９】
マトリックス状に配置されたＬＥＤからなる表示板等は、ＸＹ方向に表示できる全面にＬＥＤを設けているので、実際に発光させる必要のない部分にもＬＥＤが設けられており、生産コストは高く装置は高価であった。
ＸＹマトリックス表示器に映し出される花火は、その輝度、表示のドットの大きさ、色合い、表示はＸＹ方向に配列されたＬＥＤによって自然と定まってしまう。その為に花火の形状を表示しても、実際に花火の動きを中心又は内側から外側へ開く動きをさせる事はソフト的にもむずかしいと言う問題があった。
【００１０】
カメラ信号によるテレビやモニタ、ＸＹマトリックス表示器における画面の再現と異なり
、ただ花火を映し出すだけではなく、美しさがあり、輝度とコントラストが高く、花火としての動きを表示できる表示器はできないものだろうか。
【００１１】
一般的に打ち上げ花火は空中にて火薬を爆発させるので略球状に花火は開く。人が花火を観賞するのは一面方向だけだから、疑似花火の発光部分であるＬＥＤ等を立体的に配置する必要はなく、略平面状にＬＥＤを配置してＬＥＤによる発光により花火を電飾的に表現し見られる様にすればよい。
【００１２】
またこの様なマトリックスの表示板等においては、平面板全面に多数の小さなＬＥＤが縦横に整然と配置取り付けられておるので、撮影および録画により映し出す方法を除いて、花火を表示させ花火の中心又は内側から外側に向かって花火が開く状態をソフト的に設定による制御を行なう事は非常にむずかしいと言う問題点があった。よってＸＹマトリックス表示器においても、実際の花火をカメラ等にて録画してそのデータを表示器に映し出す方法が取られている。
【００１３】
ＴＶやモニタやＸＹマトリックス表示器においては、画面の花火の部分のみの光の強さを強めたりする事はできない。
花火の打上げは一般に夜に行なうが多い。これは花火の色を空中に浮き上がらせる為であり、夜空と花火のコントラストを求めるものである。
【００１４】
上記の様にコントラストを大きくする為に、花火の表示装置においては、略平面に花火の発光部分を表現する部分にＬＥＤを配置し、これらのＬＥＤを順次点灯させると、花火の発光部分が限られ決められたＬＥＤの部分のみに点灯消灯を行なえるだけとなる。よって花火の画面に変化が少なく、画面が単調になりすぎると言う大きな問題点が発生する。花火の本来持つ多様性のある動き、壮大さ、迫力が表現できないと言う問題点が発生する。
【００１５】
つまり略平面状に花火の部分として配置されたＬＥＤの群れとなった１つの集団を点灯させて表示することは、単調かつ単純な花火の画面になる事となった。
【００１６】
発明が解決しようとする課題の総括として、ＴＶモニタやマトリックス表示器の花火の表示においては実際の花火を撮影した録画を表示した時、空の部分も黒く発光表示されるので、花火のコントラストを強く得られないと言う問題点があった。花火の表示に合うコントラストと迫力のある画面が可能とする為に花火となる部分だけにＬＥＤを配置すると花火の群集団部分のみしか発光させる事ができず、表示画面がシンプル単調となる阻害点がある。
【課題を解決するための手段】
【００１７】
これらを解決する為の手段の結論として、前記ＬＥＤの群集団の内側から外側に向かって順次点灯させる動画の花火の表示器を提供する事により花火の表示の動きにアクセントを設けられる。コントラストのある花火を表示する為に発光部分のみにＬＥＤを配置する。
表示画面の単調化を防ぐ為に複数の群集団を設けて、これら複数の 群集団から打ち上げたい花火を選択し、これらの群集団を繰り返し表示を行ない、群集団毎に選択された群集団毎に打上げ順序と発光間隔を手動又は自動表示を行なえる様にする事  により、シンプルで単調な表示しかできなかった１つの群集団だけでなく複数の群集団を用いる事により
、多種多様な群集団の組み合わせにて表示できる様にする。
【００１８】
手段１として、マトリックス表示器の様にＬＥＤを表示板の全面に配置して設ける事なく
、略平面板状に発光に必要な部分のみにＬＥＤを配置する。発光の必要の無い部分つまり非発光面にはＬＥＤを配置しない。
ＬＥＤによる発光部分である花火を表示する場合、実際の花火に近くなる様に、空が黒く光る状態をさせない為に空の部分を光らない様に花火の光の部分だけを輝く様にします。また花火の光をＬＥＤにより１点１点を適度に設定するに当り、色彩の選択はもちろん、輝度、輝き時間、輝き方、瞬き、光の点滅方法、光の移動の仕方を制御器の例えばマイクロコンピュータによって各ＬＥＤを制御して、表示するものとします。
【００１９】
手段２として、ＬＥＤの発光部分において、中心又は内側から外側に向かって複数のＬＥＤを略円形状毎に配置し、前記の略円形状に配置されたＬＥＤの更に外側に略円形状のＬＥＤを配置する。又は前記中心からの半径が異なる略円形状のＬＥＤを幾重に配置せしめる。
【００２０】
ＬＥＤを中心から外側に向かって配置する事は、ＬＥＤを放射状に配置したともとれる。
群集団を構成するＬＥＤは、略円形状の円弧の中にＬＥＤをランダムに配置してもよい。この様に略平面板に配設された多くのＬＥＤを１つの群集団とする。
【００２１】
手段３として、略平面状に花火と言う動く対象のみをＬＥＤとして配置して、花火の動きにおいては略中心又は内側から外側に向かってＬＥＤを点灯させ、打ち上げられた花火が開く状態を表すものとする。
つまり略平面板上に略円形状にＬＥＤを配置した群集団からなり、前記群集団の略中心又は内側から外側に向かって順次点灯を行なうと共に、前記点灯を繰り返して行なう。
【００２２】
手段４として、花火を打ち上げる時の火薬の詰まった花火球を打ち上げられた状態を示す様に、ＬＥＤの発光部分において下方から上方へ向かって配置されたＬＥＤを順次下方から上方へ点灯させた後に、中心又は内側から外側に向かって順次に略円形状毎に配置された複数のＬＥＤを点灯させる。
略平面板上にＬＥＤを略円形状に配置した複数の群集団からなり、前記 群集団の略中心又は内側から外側に向かって順次点灯を行なう以前に、下方から上方へ向かって配置されたＬＥＤを順次下方から上方へ点灯させる
順次点灯させる打ち上げ位置におけるＬＥＤは単数とは限らない。この様に発光させるＬＥＤを含めて１つの群集団としてもよい。
【００２３】
手段５として、制御を容易にさせる為に、中心又は内側から外側に向かって順次に略円形状毎に配置された複数のＬＥＤを基板上においては電路パターンを円形につなぐ方法を用いた。略円形状に配置されたＬＥＤ毎の電極を直列に接続する。
【００２４】
手段６として、花火として火薬が爆発して火花が散り大きく開く様にする状態をＬＥＤに置き換え、略平面上に中心又は内側から外側に向かって略円形に多重にＬＥＤを配置し、前記ＬＥＤを順次花火が自然に開く一定時間の間隔にて点灯させる手段を用いる。この様にして花火がスムーズに開く状態を確保できる。この花火が開く状態を示すＬＥＤの発光させる間隔の数値は実験にて設定される。
【００２５】
手段７として、一つの群集団の発光、消灯するだけでは、花火の迫力を表示できない。これは決められた略平面板に花火の光る部分としてＬＥＤを配置したものであり、この配置した部分以外は、花火としての発光するＬＥＤが配置されていない為である。よって群集団を一つだけでなく、群集団を複数設ける。
【００２６】
手段８として、複数の群集団を表示画面上に配置して、人為的にこれらを選択して表示させる事のできる手段を具備させる。
これは表示画面をその都度視覚にて確認しながら、多種電飾の群集団の疑似花火を選択し表示板に動画花火を表示する事ができる様にする。
ある群集団から次の群集団までの間隔を任意に選ぶ事ができる様に、表示された花火を見ながら次の花火の群集団を適選適時に選ぶ事ができる様に群集団毎に選択できる様にする
。
つまり略平面板上にＬＥＤを略円形状に配置した複数の群集団からなり、前記群集団の略中心又は内側から外側に向かって順次点させると共に、前記複数の群集団のいずれかを選択して発光させる。
【００２７】
手段９として、数多くあるＬＥＤを制御するに当たっては、１つの群集団に１つのマイクロコンピュータ  にすると、ＬＥＤの制御が容易に設定し易く、且つ群集団を選択できる様にできる。この様に複数の群集団を設ける事により、交互又は順次に各種群集団を選択する事もできるし、複数回同じ群集団を選択して、点灯消灯させる事もできる。
【００２８】
手段１０として、１つの花火の表示器において、複数の群集団を具備させる。又、設定された時間、設定された順序に自動的に前記群集団を複数回、順次点灯させる手段を具備させる自動表示の手段を用いる。
つまり略平面板上にＬＥＤを略円形状に配置した複数の群集団からなり、前記群集団の略中心又は内側から外側に向かって順次点灯点滅を行なうと共に、前記複数の群集団を順次自動的に連続して発光させる。
【００２９】
手段１１として、複数の群集団を設け自動的に表示できる様にすると、その群集団の数が多くなるほど構成するＬＥＤの光の強さの制御がむずかしくなると言う問題が発生した。この解決手段としてマイクロコンピュータから出力されるオンオフ信号の周波数によりＬＥＤへの電流値を間欠制御しＬＥＤの光の強さを変える事を可能とする方式を用いた。この様な花火の表示器において、マイクロコンピュータから出力されるオンオフの周波数の設定によりＬＥＤの光の強さを変える方法を用いることには、詳細に且つ容易にその光の強さを変えることができる。ソフト上にて群集団毎又は群集団の部分においてに発光調整が可能とできる。
【００３０】
手段１２として、花火を鑑賞すると言う観点から、表示板の画面をある程度、離れたところから見なければならない。
群集団等を適選適度に選びスイッチを入れたり切ったりする事ができる様に遠隔操作ができる送受信手段を用いる。赤外線リモートコントロールの送受信器により操作できる様な手段を具備させる。これは電波の無線でも良いし、ワイヤによる操作でも良い。
つまり略平面板上にＬＥＤを略円形状に配置した複数の群集団からなり、前記群集団の略中心又は内側から外側に向かって順次点灯を行なうと共に、前記群集団を手動にて選択し発光表示できる手動モードと、前記群集団を定められた順序により自動的に発光表示させる自動モードの選択や解除とする手段に遠隔操作手段を具備させる。
【００３１】
手段１３として、迫力を持たせる為に、音声を発生させる手段を用いる。音声を発生させる手段においては、ここでは音声ロムを用いる。音声発生手段は音声ロムに限らず様々な手段でよい。
つまり前記群集団の略中心又は内側から外側に向かって順次点灯点滅を行なう同時または前後と、下方から上方へ向かって配置されたＬＥＤを順次点灯させると同時または前後のいずれかに、花火の爆発音を発生させる音声発生手段を具備させる。
【００３２】
手段１４として、花火の静止画と花火の動画とを切り替えて表示させる手段を用いる。
花火の動画を見ない時等の待機状態においては花火の発光しているＬＥＤを点灯させ静止画面を表示させる。この静止画の表示においては動画において使用されるＬＥＤの全てでも良いし、一部分でも良い。
つまり略平面板上にＬＥＤを略円形状に配置した複数の群集団からなり、前記群集団のいずれかの花火の静止画と前記群集団の略中心又は内側から外側に向かって順次点灯を行なう花火の動画とを切り替えて表示させる。
【００３３】
手段１５として、複数の花火の群集団を自動的にプログラムされた順序と間隔により表示させる事のできる自動モードと、複数の群集団から選択した群集団を手動にて操作し発光表示できる手動モードとを具備させる。
つまり略平面板上にＬＥＤを略円形状に配置した複数の群集団からなり、前記群集団の略中心又は内側から外側に向かって順次点灯を行なうと共に、前記群集団を手動にて選択し発光表示できる手動モードと、前記群集団を定められた順序により自動的に発光表示させる自動モードとに切り替えられる手段を具備させる。
【００３４】
手段１６として自動表示される複数の各種プログラムを連続的に順次表示できる様にする。
【００３５】
手段１７として、表示板に取り付けられたＬＥＤは丸形であり、花火の開く状態、流れ落ちる状態を表現できない。これらを表示表現できる様に、発光部分が長いＬＥＤ又はＬＥＤに光ファイバを取り付け、光ファイバ  の長さの部分において光る様にする。
つまり略平面板上にＬＥＤを略円形状に配置した複数の群集団からなり、前記略平面板上にＬＥＤと共に光ファイバを取り付ける。
【発明の効果】
【００３６】
本発明の第１の効果は、略平面状に花火としてのＬＥＤを配設した部分と、空間又は空に当たる発光していない部分にはＬＥＤを配設しない部分からなり、よってＬＥＤにより発光している部分と発光していない部分におけるコントラストがはっきりし、ＬＥＤから発する花火の光の部分だけが浮き出る様になると言う顕著な作用効果をもたらすものである
。
【００３７】
本発明の第２の効果は、花火の部分に当たるＬＥＤを発光部分にのみ配置する様にした為に、全面に配置する方式より、ＬＥＤの数が少なくて済み、安価な花火の動画の表示器の製品の提供が可能となる。
【００３８】
本発明の第３の効果は、略平面板に配設された略円形状のＬＥＤの構成にて、中心又は内側から外側に点灯させるＬＥＤを１つの群集団とする様にした事を特徴とするものであって、群集団の採用にて、点灯、消灯、点滅、明るさの制御が容易に可能とできる。制御の手段としては、例えばマイクロコンピュータにより制御を群集団毎に行なえば良いので
、制御が容易にできる。
【００３９】
本発明の第４の効果は、中心又は内側から外側に略円形状に配置されたＬＥＤを１つの群集団とする様にしたので、あえては花火の開花する動画を容易に制御可能とできる。
花火の輪の広がりが実際の花火が開く様に、自然なスムーズな開きの動きを表現可能とできる様になった。
【００４０】
略平面板に花火としての光る部分のみにＬＥＤから成る群集団を配設した為に、発光する部分が限られている。よって表示板にはバラエテイの無い単調さのあるシンプルの表示になると言う問題点が浮上した。
【００４１】
前記のバラエテイの無い単調さのあるシンプルの表示を解決する為に、本発明の第５の効果として、前記群集団の略中心又は内側から外側に向かって点灯を繰り返して行なえる様にする事によりシンプル単調表示しかできなかった群集団を多様化表示できる様にするアクセントのある表示が可能となった。
【００４２】
前記バラエテイの無い単調なシンプルの表示を解決できた。本発明の第６の効果として、前記複数の群集団を設ける事により、これらの群集団のいずれかを選択したり、群集団と他の群集団の発光における時間間隔を設けたり、群集団の発光順序を設定したり、群集団を繰り返して発光させる様にする事により、シンプル単調表示しかできなかった群集団を多様化表示できる様にするバラエィのある状態の花火を提供することができた。
【００４３】
本発明の第７効果として、複数の群集団を採用する事により自動的に各種の群集団が順次
、一定間隔にて表示が可能となった。
自動的に群集団毎に選択、群集団の発光と次の群集団の発光までの間隔をプログラムする事により、一定の間隔にて群集団が発光消灯する様に、花火の群集団の画面が表示されるので、シンプル単調表示しかできなかった群集団を多様化表示できる様にするバラエテイのある表示が可能となった。
【００４４】
前記バラエテイの無い単調さのあるシンプルの表示を解決する為に、本発明の第８の効果として、前記複数の群集団を順次自動的に連続して発光させる様にする事によりシンプル単調表示しかできなかった群集団を多様化表示できバラエテイのある表示が可能となった。
【００４５】
本発明の第９の効果は、複数の花火の群集団による構成を採用する事により、手動においては最初に発光する花火を見ながら次の花火の群集団を選択をする事ができる様になった
。
群集団の選択が可能とし、群集団発光消灯までと次の 群集団の発光までの時間の間隔を適当に取れ、またその群集団と次の発光させるべき群集団の種類を変えることができる。
自動においても手動と同様なＬＥＤの表示が可能とでき、花火の群集団を表示させる際に
、複数の群集団からの選択・群集団の組合せ、群集団の発光順序、群集団の発光回数、群集団の発光間隔等を適選適時に設定表示できる。
【００４６】
本発明の第１０の効果として、手動操作と自動操作が可能となり、前記群集団を手動にて選択し発光表示できる手動モードと、前記群集団を定められた順序により自動的に発光表示させる自動モードとに切り替えられる様になった。
【００４７】
本発明の第１１の効果として、群集団の採用によりそれぞれの群集団における一部分のＬＥＤの光の強さをマイクロコンピュータの制御により可変とする手段を用いる事ができた
。これはＬＥＤを常時通電して点灯する事なしにＬＥＤをソフト上においてオンオフ制御し点滅させ、見かけにてＬＥＤの点灯の光の強さを制御できる。マトリックス方式では全てを共通に用いているので、この様な手段を用いることができない。
【００４８】
本発明の第１２の効果として、花火のコントラストを得る為に回りを暗くして本表示器を用いる必要がある場合もある。ＬＥＤの表示器を見ながら操作する必要があるので、明るい場所にて遠隔より操作する必要がある。よってＬＥＤの群集団を選択可能とする手段に遠隔操作可能な送受信手段を設けた。遠隔操作可能な送受信手段を設ける事により、暗い所に本花火の動画の表示器を置いて明るい所で、本表示器の発光消灯のスイッチの操作が可能となった。
【００４９】
本発明の第１３の効果として、実際の花火と同様に、本表示器による花火の動画に迫力を持たせる方法として、音声発生装置にて火薬の爆発音を発生させることにより、迫力を出させることができた。
【００５０】
本発明の第１４の効果として、本表示器に花火の動画を表示させない時は表示板の画面をどの様にしておくかの問題に対して、動画表示が必要ない時には花火の静止画を表示させる様に切り替える事ができる事により、花火の動画の表示をしなくて良い時、本製品の未使用時における平面板上に何らかの表示が可能とし、いずれかの静止画と花火の動画の表示とを切り替えて表示させる事ができる。
つまり、いずれかの花火の静止画と前記群集団の略中心又は内側から外側に向かって順次点灯を行なう花火の動画とを切り替えて表示させる事ができる様になった。
【００５１】
本発明の第１５の効果として、表示板の群集団を構成するＬＥＤに光ファイバを取り付けＬＥＤの発光と共に光ファイバを発光させたると、花火のしだれ状の花火や花火の流れの長細い発光部分を表示する事もできる。
【００５２】
略平面板上に群集団を構成するＬＥＤの前面に半透明で着色された略平面状の板を具備させると、ＬＥＤ自体が半透明で着色された略平面状の板の外部から見えないという利点がある。
半透明で着色された略平面状の板の外部にＬＥＤの光を透過させなければならないので、光量を大きくしなければならず、ＬＥＤの光をシャープに表示できる結果となった。また略平面板上に非発光部分とＬＥＤの発光部分があるので、この様な方法でＬＥＤの発光部分と略平面状の板の着色を用いつつ、ＬＥＤのコントラストを強く保持できる。
【００５３】
本発明の全体として、今までのテレビ又はモニタ画面やＸＹマトリックス表示板においては、花火を再現表示させておるだけであった。本発明の花火の動画の表示器によれば、花火をＬＥＤの光により発光方法、設定輝度により定めることによって、実際の花火以上に雲や、煙、雨による見え難さがなく、花火の開花、きらめき、瞬き、打ち上げ音を、実際の花火と同じくか、それ以上に美しくマイクロコンピュータにて制御し表示を可能とできた。火薬の爆発による花火の光もＬＥＤも光を発する点では同等である。
【実施例１】
【００５４】
本花火の動画の表示器の構成と構造について述べる。
花火の火薬を燃焼させて発光させる部分を発光ダイオード、一般的な呼称としてＬＥＤによって行なう。これはＬＥＤは光の直進性が良く発光がシャープであるので花火の光に適している。発光部分のＬＥＤは表示板２に取り付けられている。実施例においては表示板２はプリント配線板の裏面を用いて使用している。
この様に花火の発光する部分のみにＬＥＤを配置して用いる事によって、光の発する部分と発しない部分を設けることとなり、花火の部分だけが発光し、発光する部分と発光しない部分を分け、コントラストのある花火の表示器を提供できる。
実施例では表示板２は電子部品が取り付けられるプリント配線基板の裏面を用いて、片面に一般に電子部品、今回はＬＥＤが取り付けられ、他面にはＬＥＤの電路の回路パターンが構成されている。
【００５５】
表示板２は板金又はプラスチック製の筐体１０にスペーサ６を介してネジ等７により取り付けられている。
表示板２の周囲は額１により形付けられている。また額１は筐体１０に両面テープまたはネジ等で取り付けられている。この額は必ずしも必要なものでは無い。
【００５６】
花火の発光部分であるＬＥＤにおいては下から上方向へ向かって順次点灯する様にＬＥＤ３が表示板２に配置されている。一般にＬＥＤ３は下から上方向へ向かって配置されており、下方のＬＥＤ３から点灯を始めて、消灯すると次のＬＥＤ３−１そしてＬＥＤ３−２と順次上方へ向かって点灯消灯させる様にするが、３、３−１、３−２・・・・３−ｎまでのＬＥＤを全灯させる様にする。また下方から上方への途中における各点のＬＥＤの種類および配置されている個数は適選適度である。
【００５７】
ＬＥＤ３−１、３−２・・・・３−ｎまでのＬＥＤは花火の打ち上げられる花火の光の軌跡を現すものであるので、１本又は数本の光ファイバ１２を用いて、その光ファイバ
の端に１個のＬＥＤ１１を取り付けてＬＥＤ１１を発光させる様にしてもよい。
【００５８】
群集団Ａは、中心又は内側から外側に向かって略放射状またはＬＥＤ３−ｎを中心にして
、ＬＥＤ４−１を円弧状または略円形に配置し、前記の略円形状のＬＥＤ４−１の外側に更に略円形状のＬＥＤ４−２を配置する様にしてもよい。順次外側に更に略円形状のＬＥＤ４−３・・・・４−ｎを配置する。
この様に前記ＬＥＤ３−ｎの中心とし半径が異なる略円形状のＬＥＤ４−１からＬＥＤｎまでを多重に配置せしめる。ほぼ円形状に配置されたＬＥＤ４−１、ＬＥＤ４−２、ＬＥＤ４−３・・・・・ＬＥＤｎにおけるＬＥＤの数は適選適度である。
この様に群集団ＡはＬＥＤ４−１，ＬＥＤ４−２，ＬＥＤ４−３・・・・・４４−ｎから成る。ＬＥＤ３，ＬＥＤ３−１，ＬＥＤ３−２・・・・・ＬＥＤ３−ｎを含めて群集団Ａとする事もできる。群集団Ｂ，群集団Ｃ，群集団Ｄと同様な構成となっている。
【００５９】
前記ＬＥＤ４−１が点灯すると共に、ＬＥＤ４−１の周囲に配置されたＬＥＤＬＥＤ４−２、ＬＥＤ４−３・・・・ＬＥＤ４−ｎと言う順序にて略円形状の中心又は内側から外側に向かって順次点灯させる。
この様に略円形状毎に順次点灯させるＬＥＤ４−１、ＬＥＤ４−２、ＬＥＤ４−３・・・
・・ＬＥＤ４−nまでによって構成されるＬＥＤによって１つの群集団Aを構成している。
【００６０】
ＬＥＤ４−３の外側の各周囲にもＬＥＤ４−ｎが配置されている。この様に特徴付けられた形状で配設されたＬＥＤも郡集団に加えるものとする。
群集団ＡはＬＥＤ３−ｎを中心として略円形状であって、ＬＥＤ４−１、ＬＥＤ４−２，
・・・・・ＬＥＤ４−ｎであって、５はＬＥＤ４−ｎを中心として周囲に複数のＬＥＤを配設しているものであって、ＬＥＤ３−ｎを中心に必ずしも略円形状に配設されている必要はなく、群集団を作るＬＥＤの位置はランダムであってよく、群集団の外形を作っている略円形状内にＬＥＤが適選適度に配設されておればよい。
【００６１】
群集団Ａにおける定義は、ＬＥＤ４−１、ＬＥＤ４−２・・・ＬＥＤ４―ｎからなるＬＥＤの集合である。しかしながら下方から上方向に打ち上げられた花火の玉を表示するＬＥＤの３，３−１，３−２・・・・および最上方向部分のＬＥＤである３−ｎも群集団Ａに含ませる場合もあり得る。
【００６２】
表示板２には、群集団Ａの他、群集団Ｂ、群集団Ｃ、群集団Ｅが配設されている。本実施例においては群集団Ｃは上部と下部の２つの群集団から成り立っている。
またナイアガラである群集団Ｅが左右から順次上方から下方に流れ落ちる様にＬＥＥが点滅して、最終的に群集団Ｅが全て点滅する事となる。これらの群集団Ｅも群集団の一つに含めるものとする。群集団Ｅも光ファイバ３４の一端にＬＥＤ３５を配設する様にして用いる事ができる。
【００６３】
４１は、表示板２に記された絵または写真又は表示物である。
【００６４】
図２はＬＥＤと光ファイバ  を組み合わせて用いてＬＥＤから発する光を光ファイバ  全体によって発光させた場合である。
群集団を構成するＬＥＤにおいては、図２と図３の様にＬＥＤ１１と光ファイバ１２の組み合わせたものを用いる事なく、長細い形状のＬＥＤを用いる事によって長細い発光部分を表示する事もできる。
【００６５】
図２のＬＥＤ１２−１はＬＥＤ１１に光ファイバ  １２−１の端を挿入して且つ光ファイバ  を表面板２に接着剤等により接着した状態を示す。また光ファイバ  １２−２はＬＥＤ１１と直列に配設し表面板２に接着剤等で固定している。
図３に示す様に、光ファイバ  １２を折り曲げて表面板の裏面にＬＥＤ１１による光を光ファイバ  に導いてもよい。
光ファイバ  １２，１２−１，１２−２は光ファイバ  の管の一端から光を入れると光ファイバ  管のチューブ全体が光るタイプが良い。この管の一端から光を入れると管のチューブ全体が光るタイプにはプラスチック光ファイバ
としてレイテラ等の商標名で販売されている。
ＬＥＤ３３は光ファイバ  を用いる事なく複数のＬＥＤを用い光が流れ落ちる花火を示す
。またＬＥＤ３５と光ファイバ３４によってしだれ状の花火の光を表現表示する事もできる。
【００６６】
図４は表面板２の裏面における状態であり、図面を明瞭とする為に配線を省略して表面板の裏面に略円形状に何重にも重ねて配置されたＬＥＤの接続を図で示している。
ＬＥＤへの通電時においては、１個のＬＥＤの破損から電流値の変化から他のＬＥＤへの破損の拡大を防ぐ為に、略円形状のＬＥＤ４−１、ＬＥＤ４−２、ＬＥＤ４−３・・・・ＬＥＤnを構成しているＬＥＤの電極を各々直列に接続している。よって複数のＬＥＤを取り付ける表面板２においてはパターンを円形につなぐ方法を用いている。各ＬＥＤは表示板２のプリント配線板の面に半田等にて固定して取り付けられている。
【００６７】
１チップマイクロコンピュータ１８Ａ，１８Ｂ，１８Ｃ，１８ＤはＰＩＣ等であり、制御基板１４に取り付けられている各ＬＥＤの点灯、消灯、点滅、色彩の制御がされる。
制御基板１４の上にはマイクロコンピュータであるＰＩＣを作動させる為の発信子、各種コンデンサ、抵抗、の電子部品が配置されている。
各ＬＥＤにはＬＥＤの電流を制御する為の制限抵抗または定電流ダイオードを通して表示板２に配設されているＬＥＤに電流を供給している。
【００６８】
２０はマイクロコンピュータ及びＬＥＤを発光させる為の電源である。
【００６９】
表示板２に配設されている各種ＬＥＤの制御においては本実施例では各群集団毎に対して１個のマイクロコンピュータのＰＩＣを用いて、１図の各群集団Ａ、Ｂ、Ｃ、Ｄに対してＰＩＣの１８Ａ、１８Ｂ、１８Ｃ、１８Ｄの計４個を用いている。
図５に示すＰＩＣの１８Ａ、１８Ｂ，１８Ｃ，１８Ｄは、各々の群集団A、B、C、Dに対応しており、１つの群集団おいて１つのＰＩＣをそれぞれ設けて各群集団を点灯、消灯、点灯消灯時間、色彩、動画状態を制御している。
ＰＩＣ１８Ｃは１つのマイクロコンピュータで、図１に示す群集団Ｃの２つを制御している。
【００７０】
自動表示制御用のマイクロコンピュータ１７は各群集団に割り当てられた各群集団用のＰＩＣを制御する為のマイクロコンピュータ１８Ａ，１８Ｂ，１８Ｃ、１８Ｄを制御する為のＰＩＣである。自動表示制御用のマイクロコンピュータ１７からの信号はここでは各群集団用のＰＩＣの割り込み端子又は入力ポートに接続される様になっている。
【００７１】
各群集団制御におけるマイクロコンピュータ１８Ａ，１８Ｂ，１８Ｃ，１８Ｄ及び自動表示制御用マイクロコンピュータ１７のＰＩＣの役割について述べる。
自動表示制御用のマイクロコンピュータ１７は自動制御モードにおいて、各群集団制御用のマイクロコンピュータであるＰＩＣを制御する為のマイクロコンピュータ１８Ａ，１８Ｂ，１８Ｃ、１８Ｄを介して表示板２に配設されたＬＥＤの各群集団Ａ，Ｂ，Ｃ，ＤとＥのＬＥＤを略中心又は内側から外側に向かう発光順序を制御する為のものである。
マイクロコンピュータ１８Ａ，１８Ｂ，１８Ｃ、１８Ｄにおいては、下方から上方へ向かって配置されたＬＥＤを順次下方から上方へ点灯させる制御も行なわせている。
【００７２】
手動モードにおいては、各Ａ，Ｂ，Ｃ，Ｄの群集団を制御するマイクロコンピュータの各ＰＩＣの１８Ａ，１８Ｂ，１８Ｃ，１８Ｄに各群集団の選択スイッチにより信号を配信する。
【００７３】
手動モードの停止スイッチによって、手動によって点灯、消灯、点滅していた全てのＬＥＤは直ちに消灯するか、手動モードの停止スイッチによって点灯、消灯、点滅している各群集団としてのプログラムが完了して停止状態になった時点によって全てのＬＥＤは消灯するものとする。
【００７４】
自動モードは、自動表示制御用マイクロコンピュータであるＰＩＣ１７に内蔵されているプログラムにより、各群集団用のＰＩＣの１８Ａ、１８Ｂ、１８Ｃ、１８Ｄに信号を送り、各群集団Ａ，Ｂ，Ｃ，Ｄ，Ｅの郡集団又は各郡集団の組み合わせ、群集団と群集団との間隔時間、各群集団の点灯回数の制御等を行なう。
群集団と群集団が同時に点灯表示させる場合もある。
【００７５】
図６は赤外線リモートコントロール送信器２１である。
花火の動画の表示器の操作においては、必ずしも電波による無線や赤外線リモートコントロール送信器を用いる必要はなく、ワイヤコードによる遠隔スイッチでもよく、表示器や筐体の一部にスイッチを設けてもよい。
ここでは実施例として、赤外線リモートコントロールラ２１を用いて、ＬＥＤからなる群集団を手動モード又は自動モードを選択したり解除したりする手段について述べる。
送信器には、暗闇でも操作使用できる様に送信器の操作ボタンに発光手段または夜光塗料を塗る等の手段を設ける事もできる。
【００７６】
赤外線リモートコントロール送信器２１から操作発せられた光信号は受光器２２の受光部２３にて受光される。受光器２２からの信号は受光用マイクロコンピータ１５にて信号を解析されて、受光用マイクロコンピュータ１５は自動表示の場合は、自動表示制御用マイクロコンピュータ１７に信号を送る。
手動表示の場合は、受光用マイクロコンピュータ１５から、群集団表示制御用マイクロコンピュータ１８Ａ，１８Ｂ，１８Ｃ，１８Ｄに信号を送る様になっている。
【００７７】
赤外線リモートコントロール２１の手動部のスイッチは、図１の表示板２の群集団Ａを制御する上部群集団制御用の手動スイッチ２６、群集団Ｄ部を制御する下部群集団制御用の手動スイッチ２７、２つの群集団Ｃを制御する左部群集団制御用の手動スイッチ２８、群集団Ｂを制御する右部群集団制御用の手動スイッチ２９、群集団Ｄと群集団Ｅを制御する下部群集団制御用の手動スイッチ２７からなる。また上記手動スイッチ２６、２７、２８
、２９による信号を停止させる停止スイッチ２５から成る。手動スイッチ２６、２９，２８，２７は図１の各群集団Ａ，Ｂ，Ｃ，ＤとＥを表示させるスイッチとして、それぞれ対応して各手動スイッチにより群集団毎に選択が可能とされる様になっている。
【００７８】
赤外線リモートコントローラ２１の自動プログラム用チャンネルスイッチ３０の１から１２までのいずれかのスイッチのボタンを選択し押す事により、多種多様の群集団Ａ，Ｂ，Ｃ，Ｄ，Ｅを適度に組み合わせ、群集団と群集団の表示間隔、表示繰り返し表示回数が設定されており、多種多様な群集団の組み合わせを表示できる。
【００７９】
自動プログラム用の１から１１までのチャンネルスイッチのＮｏ．１を押すと、例えば群集団Ｃの発光→数秒間隔後→群集団Ｂの発光→０．５秒後→  群集団Ａの順序にて発光を行ない停止に至る。
また例えば、チャンネルスイッチのＮｏ．２を押すと、例えば群集団Ｄ→数秒後  →
群集団Ｃ  →０．１秒後→ 群集団Ａ→０．５秒後→群集団Ｂ→１秒後→郡群集団Ｃとの順序にて発光を行ない停止に至る。
この様に各群集団は適選適度の間隔と回数にて発光させる、または群集団と他の群集団を略同時に点灯させる様にしてもよい。
【００８０】
図８は自動プログラムを駆動させる為の自動モードにおけるチャンネルスイッチＮｏ．
１またはＮｏ．２を押した時の各群集団の通電のオンオフ状態を示す。
この様に群集団表示制御用マイクロコンピュータの各々１８Ａ，１８Ｂ、１８Ｃ，１８Ｄがオンオフする様に、自動表示制御用マイクロコンピュータ１７から群集団表示制御用マイクロコンピュータに信号を発し、群集団Ａ，Ｂ，Ｃ，ＤのＬＥＤは点灯消灯点滅を行なう事ができる。
【００８１】
自動モードにおけるＡＬＬスイッチ３１においては、自動に設定された各種プログラムを全チャンネルＮｏ．１からＮｏ．１２までの自動表示を順次オンさせながらループ的に繰り返して表示させる。Ｎｏ．１からＮｏ．１２までの種類の自動プログラミングを順次実施し
、１２までのプログラミングを実施した後はプログラミングの種類１に戻り更に続けて点灯表示される様になっている。
【００８２】
ＣＬＥＡＲスイッチ３２において、自動モードは全てクリアとなり、手動モードとなり手動スイッチ２６，２７，２８，２９，２５の待機状態となる様になっている。
【００８３】
チャンネルスイッチ３０のＮｏ．１２は自動表示用のチャンネルスイッチとして用いなくて、全ての群集団が静止画状態で表示されるスイッチとして用いてもよい。
【００８４】
オプションとして、略円形状のＬＥＤの群集団の中心または内側から外側に向かって点灯すると同時または点灯後に、マイクロコンピュータにて火薬の爆発音を発するデータを音声ＲＯＭ１９に具備させて、音声を発生させ空気中の爆発音の響きをスピーカ４０にて発生させる。これらにより迫力を持たせインパクトが与えられる。
【実施例２】
【００８５】
図７は海上に打上げられた花火を示している。
打ち上げられた花火の球の飛行軌跡を表示するＬＥＤを３６とし、開花した花火を表示する部分をＬＥＤの３７としている。
適用範囲として、略平面上に非発光面とＬＥＤの発光部分とを有し、発光部分においては下方から上方へ向かって順次点灯する様に配置されたＬＥＤと記されておるが、海上に打上げられた花火の様に最初は下方から上方へ向かって更に上方から下方に向かう軌跡をたどるＬＥＤ３６の様な場合も権利の範囲に含むものとする。
【００８６】
適用範囲として、図７に示す様に、海上部分や海中部分を３９で示す様な海上海中花火と言われる円形の群集団の上半分のみが表示される花火においても群集団として特許請求の権利の範囲に含むものとする。
【００８７】
また図７の海上に打上げられた花火にもＬＥＤ３６ＬＥＤ３７は図３と同様に光ファイバとＬＥＤの組み合わせを用いて表示させてよい。
【００８８】
以降、実施例１，２において、表示板２に配設するＬＥＤは多色の表示できる物を用いてよい。またＬＥＤはデスクリートを用いているが、チップでも良い。
【００８９】
音声発生用ＲＯＭ１９により、打ち上げ時又は群集団の開花時において音声を発生させる
。音声ＲＯＭの音声データはスピーカから発生される。スピーカの代わりにピエゾ素子を用いても良い。
【００９０】
火薬を燃焼させないだけで、デジタル制御にて光と打ち上げ音、爆発音を楽しむことができるので実際の花火と同じ効果をもたらすことができる。
【００９１】
本実施例においては、ＰＩＣの１チップマイクロコンピュータを用いたが、他の多種多様のマイクロコンピュータでもよく、制御方法はシーケンサ、プログラマコンとローラ、ＴＴＬ、ＭＯＳ等で組んでも良い。
【００９２】
表示板２は本実施例においては、プリント配線板を用いたが別途略平面の表示板２を用いても良い。
【００９３】
指定された時間になると花火を打ち上げる表示する事ができる様に時計機能又はタイマー機能を持たせ、時計の時刻表示として併用して用いる事ができる。
【００９４】
近接センサを兼ね備えて、本花火の動画の表示器の近くに人が寄ったら動画スイッチがオンして花火の動画が表示される様にしてもよい。
【００９５】
本技術は多くの動画の表示器に応用が可能であるが、本出願の権利の請求の範囲は花火の動画の表示器に限定する。
【産業上の利用可能性】
【００９６】
動画ポスタ、インテリア、電飾、花火のシュミレート装置および娯楽としてのゲーム器に用いられる。
【図面の簡単な説明】
【００９７】
【図１】は花火の動画の本表示器の表面状態図である。
【図２】は光ファイバを用いた表面状態図である。
【図３】は光ファイバとＬＥＤとの組み合わせの状態図である。
【図４】は花火の動画の本表示器の裏面状態図である。
【図５】は制御部の信号の流れ図である。
【図６】は赤外線リモートコントローラである。
【図７】は打上げ花火の第二実施例である。
【図８】は自動モードチャンネルスイッチＮｏ．１及びＮｏ．２における    各群集団の通電状態を示す。
【符号の説明】
【００９８】
Ａ．群集団Ａ
Ｂ．群集団Ｂ
Ｃ．群集団Ｃ
Ｄ．群集団Ｄ
Ｅ．群集団Ｅ
１．額
２．表示板
３．ＬＥＤ
４．ＬＥＤ
５．ＬＥＤ
６．スペーサ
７．ネジ
１０．筐体
１１．ＬＥＤ
１２．光ファイバ
１４．制御基板
１５．受光用マイクロコンピュータ
１７．自動表示制御用マイクロコンピュータ
１８．群集団表示制御用マイクロコンピュータ
１９．音声発生用ＲＯＭ
２０．電源
２１・赤外線リモートコントローラ
【図１】
0005754687.tif 000002
【図２】
0005754687.tif 000003
【図３】
0005754687.tif 000004
【図４】
0005754687.tif 000005
【図５】
0005754687.tif 000006
【図６】
0005754687.tif 000007
【図７】
0005754687.tif 000008
【図８】
0005754687.tif 000009